(57)【特許請求の範囲】
【請求項１】
第１セルを管理する第１無線制御装置と、第２セルを管理する第２無線制御装置と、第３無線制御装置とを備える移動通信システムであって、
前記第２セルは、前記第１セルのハンドオーバ先セルとして設定されており、
前記第３無線制御装置は、前記第２無線制御装置の冗長構成として前記第２セルを管理し、
前記第３無線制御装置は、前記第２無線制御装置の冗長構成として前記第２セルを管理する旨を前記第１無線制御装置に通知し、
前記第１無線制御装置は、前記第２無線制御装置の冗長構成として前記第３無線制御装置が前記第２セルを管理する旨を設定することを特徴とする移動通信システム。
【請求項２】
前記第３無線制御装置は、前記第２無線制御装置からの要求に応じて、前記第２無線制御装置の冗長構成として前記第２セルを管理することを特徴とする請求項１に記載の移動通信システム。
【請求項３】
前記第３無線制御装置は、前記第２無線制御装置からの要求によらずに、前記第２無線制御装置の冗長構成として前記第２セルを予め管理することを特徴とする請求項１に記載の移動通信システム。
【請求項４】
前記第３無線制御装置は、前記第１無線制御装置からの問い合わせに応じて、前記第２無線制御装置の冗長構成として前記第２セルを管理する旨を前記第１無線制御装置に通知することを特徴とする請求項１に記載の移動通信システム。
【請求項５】
前記第１無線制御装置は、前記第２セルを冗長構成として管理しているか否かを定期的に問い合わせることを特徴とする請求項１に記載の移動通信システム。
【請求項６】
第１セルを管理する第１無線制御装置と第２セルを管理する第２無線制御装置と第３無線制御装置とを備える移動通信システムで用いる移動通信方法であって、
前記第２セルは、前記第１セルのハンドオーバ先セルとして設定されており、
前記第３無線制御装置が、前記第２無線制御装置の冗長構成として前記第２セルを管理するステップと、
前記第３無線制御装置は、前記第２無線制御装置の冗長構成として前記第２セルを管理する旨を前記第１無線制御装置に通知するステップと、
前記第１無線制御装置は、前記第２無線制御装置の冗長構成として前記第３無線制御装置が前記第２セルを管理する旨を設定するステップとを備えることを特徴とする移動通信方法。
【請求項７】
第１セルを管理する第１無線制御装置と第２セルを管理する第２無線制御装置とを備える移動通信システムで用いる無線制御装置であって、
前記第２セルは、前記第１セルのハンドオーバ先セルとして設定されており、
前記第２無線制御装置の冗長構成として前記第２セルを管理する管理部と、
前記第２無線制御装置の冗長構成として前記第２セルを管理する旨を前記第１無線制御装置に通知する通知部とを備えることを特徴とする無線制御装置。
【発明の詳細な説明】
【技術分野】
【０００１】
本発明は、第１セルを管理する第１無線制御装置と第２セルを管理する第２無線制御装置とを備える移動通信システム、移動通信システムで用いる移動通信方法及び無線制御装置に関する。
【背景技術】
【０００２】
従来、無線基地局（ＮＢ：ＮｏｄｅＢ）や無線制御装置（ＲＮＣ：Ｒａｄｉｏ  Ｎｅｔｗｏｒｋ  Ｃｏｎｔｒｏｌｌｅｒ）などのネットワーク装置を備えた移動通信システムが知られている。
【０００３】
無線基地局は、移動局（ＵＥ：Ｕｓｅｒ  Ｅｑｕｉｐｍｅｎｔ）が在圏すべきセルを管理しており、無線基地局によって管理されるセルに在圏する移動局と無線通信を行う。なお、セルは、移動局と無線通信を行う機能として理解してもよい。或いは、セルは、無線基地局から放射される電波の到達エリア（地理的なエリア）を示す用語として理解してもよい。なお、セルは、セルで用いられる周波数、拡散コード又はタイムスロットなどによって識別される。
【０００４】
無線制御装置は、無線基地局及びセルを管理しており、無線制御装置によって管理されるセルに在圏する移動局と通信を行う。
【０００５】
移動通信システムでは、１つの無線基地局に対して、複数の無線制御装置が接続されており、複数の無線制御装置のうち、一方の無線制御装置において障害が発生しても、他方の無線制御装置が、一方の無線制御装置の機能を引き継ぐように構成されている。
【０００６】
このように、無線制御装置などのネットワーク装置について、冗長構成を有する移動通信システムが知られている（例えば、特許文献１）。
【先行技術文献】
【特許文献】
【０００７】
【特許文献１】特表２０１０−５１５３８３号公報
【発明の概要】
【発明が解決しようとする課題】
【０００８】
ところで、第１無線制御装置によって管理される第１セルから第２無線制御装置によって管理される第２セルに移動局が移動するケース（以下、Ｉｎｔｅｒ−ＲＮＣハンドオーバ）が存在する。
【０００９】
このようなＩｎｔｅｒ−ＲＮＣハンドオーバにおいて、第２無線制御装置において障害が発生して、第２無線制御装置の機能を第３無線制御装置が引き継ぐ場合には、第２セルが第３無線制御装置によって管理されていることを示す情報（以下、冗長構成情報）を第１無線制御装置が把握していなければならない。
【００１０】
しかしながら、冗長構成情報を手作業で無線制御装置に設定する作業が膨大な量であるため、冗長構成情報を手作業で設定することは難しい。
【００１１】
そこで、本発明は、上述した課題を解決するためになされたものであり、Ｉｎｔｅｒ−ＲＮＣハンドオーバにおいて、無線制御装置において障害が発生した場合であっても、膨大な作業量を必要とせずに、迂回経路を設定することを可能とする移動通信システム、移動通信システムで用いる移動通信方法及び無線制御装置を提供することを目的とする。
【課題を解決するための手段】
【００１２】
第１の特徴に係る移動通信システムは、第１セルを管理する第１無線制御装置と第２セルを管理する第２無線制御装置と第３無線制御装置とを備える。前記第２セルは、前記第１セルのハンドオーバ先セルとして設定されている。前記第３無線制御装置は、前記第２無線制御装置の冗長構成として前記第２セルを管理する。前記第３無線制御装置は、前記第２無線制御装置の冗長構成として前記第２セルを管理する旨を前記第１無線制御装置に通知する。前記第１無線制御装置は、前記第２無線制御装置の冗長構成として前記第３無線制御装置が前記第２セルを管理する旨を設定する。
【００１３】
第１の特徴において、前記第３無線制御装置は、前記第２無線制御装置からの要求に応じて、前記第２無線制御装置の冗長構成として前記第２セルを管理する。
【００１４】
第１の特徴において、前記第３無線制御装置は、前記第２無線制御装置からの要求によらずに、前記第２無線制御装置の冗長構成として前記第２セルを予め管理する。
【００１５】
第１の特徴において、前記第３無線制御装置は、前記第１無線制御装置からの問い合わせに応じて、前記第２無線制御装置の冗長構成として前記第２セルを管理する旨を前記第１無線制御装置に通知する。
【００１６】
第１の特徴において、前記第１無線制御装置は、前記第２セルを冗長構成として管理しているか否かを定期的に問い合わせる。
【００１７】
第２の特徴に係る移動通信方法は、第１セルを管理する第１無線制御装置と第２セルを管理する第２無線制御装置と第３無線制御装置とを備える移動通信システムで用いられる。前記第２セルは、前記第１セルのハンドオーバ先セルとして設定されている。移動通信方法は、前記第３無線制御装置が、前記第２無線制御装置の冗長構成として前記第２セルを管理するステップと、前記第３無線制御装置は、前記第２無線制御装置の冗長構成として前記第２セルを管理する旨を前記第１無線制御装置に通知するステップと、前記第１無線制御装置は、前記第２無線制御装置の冗長構成として前記第３無線制御装置が前記第２セルを管理する旨を設定するステップとを備える。
【００１８】
第３の特徴に係る無線制御装置は、第１セルを管理する第１無線制御装置と第２セルを管理する第２無線制御装置とを備える移動通信システムで用いる。前記第２セルは、前記第１セルのハンドオーバ先セルとして設定されている。無線制御装置は、前記第２無線制御装置の冗長構成として前記第２セルを管理する管理部と、前記第２無線制御装置の冗長構成として前記第２セルを管理する旨を前記第１無線制御装置に通知する通知部とを備える。
【発明の効果】
【００１９】
本発明によれば、Ｉｎｔｅｒ−ＲＮＣハンドオーバにおいて、無線制御装置において障害が発生した場合であっても、膨大な作業量を必要とせずに、迂回経路を設定することを可能とする移動通信システム、移動通信システムで用いる移動通信方法及び無線制御装置を提供することができる。
【図面の簡単な説明】
【００２０】
【図１】図１は、第１実施形態に係る移動通信システム１００を示す図である。
【図２】図２は、第１実施形態に係るＲＮＣ３０を示す図である。
【図３】図３は、第１実施形態に係るＲＮＣ３０Ｃで管理される情報を例示する図である。
【図４】図４は、第１実施形態に係るＲＮＣ３０Ａで管理される情報を例示する図である。
【図５】図５は、第１実施形態に係る移動通信システム１００の動作を示すシーケンス図である。
【図６】図６は、第１実施形態に係る移動通信システム１００の動作を示すシーケンス図である。
【発明を実施するための形態】
【００２１】
以下において、本発明の実施形態に係る移動通信システムについて、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［実施形態の概要］
実施形態に係る移動通信システムは、第１セルを管理する第１無線制御装置と第２セルを管理する第２無線制御装置と第３無線制御装置とを備える。第２セルは、第１セルのハンドオーバ先セルとして設定されている。第３無線制御装置は、第２無線制御装置の冗長構成として第２セルを管理する。第３無線制御装置は、第２無線制御装置の冗長構成として第２セルを管理する旨を第１無線制御装置に通知する。第１無線制御装置は、第２無線制御装置の冗長構成として第３無線制御装置が第２セルを管理する旨を設定する。
【００２４】
実施形態では、第３無線制御装置は、第２無線制御装置の冗長構成として第２セルを管理する旨を第１無線制御装置に通知する。従って、Ｉｎｔｅｒ−ＲＮＣハンドオーバにおいて、無線制御装置（ここでは、第２無線制御装置）において障害が発生した場合であっても、膨大な作業量を必要とせずに、迂回経路を設定することができる。
【００２５】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２６】
図１に示すように、移動通信システム１００は、移動局１０（以下、ＵＥ１０）と、複数の無線基地局２０（以下、ＮＢ２０）と、複数の無線制御装置３０（以下、ＲＮＣ３０）と、コアネットワーク５０とを有する。
【００２７】
ＵＥ１０は、無線通信を行う機能を有する装置（Ｕｓｅｒ  Ｅｑｕｉｐｍｅｎｔ）である。具体的には、ＵＥ１０は、複数のセルのうち、いずれかのセルに在圏しており、在圏セルを管理するＮＢ２０と無線通信を行う。
【００２８】
ＮＢ２０は、セルを管理しており、セルに在圏するＵＥ１０と無線通信を行う機能を有する装置（ＮｏｄｅＢ）である。
【００２９】
第１実施形態では、ＮＢ２０として、ＮＢ２０Ａ、ＮＢ２０Ｂ及びＮＢ２０Ｃが設けられている。ここで、ＮＢ２０Ａは、セル＃１Ａ及びセル＃２Ａを管理しており、ＮＢ２０Ｂは、セル＃１Ｂ及びセル＃２Ｂを管理しており、ＮＢ２０Ｃは、セル＃１Ｃ及びセル＃２Ｃを管理する。
【００３０】
なお、セル＃１Ａ及びセル＃２Ａは、地理的に互いに隣接しており、セル＃１Ｂ及びセル＃２Ｂは、地理的に互いに隣接しており、セル＃１Ｃ及びセル＃２Ｃは、地理的に互いに隣接する。また、セル＃２Ａ及びセル＃１Ｂは、地理的に互いに隣接しており、セル＃２Ｂ及びセル＃１Ｃは、地理的に互いに隣接する。
【００３１】
第１実施形態では、地理的に互いに隣接するセル間をＵＥ１０が移動することをハンドオーバと称する。また、互いに異なるＲＮＣ３０によって管理されるセル間をＵＥ１０が移動することをＩｎｔｅｒ−ＲＮＣハンドオーバと称する。
【００３２】
ＲＮＣ３０は、セル及びＮＢ２０を管理しており、セルに在圏するＵＥ１０と通信を行う機能を有する装置（Ｒａｄｉｏ  Ｎｅｔｗｏｒｋ  Ｃｏｎｔｒｏｌｌｅｒ）である。
【００３３】
第１実施形態では、ＲＮＣ３０として、ＲＮＣ３０Ａ、ＲＮＣ３０Ｂ及びＲＮＣ３０Ｃが設けられている。ここで、ＲＮＣ３０Ａは、ＮＢ２０Ａ、セル＃１Ａ及びセル＃２Ａを管理しており、ＲＮＣ３０Ｂは、ＮＢ２０Ｂ、セル＃１Ｂ及びセル＃２Ｂを管理しており、ＲＮＣ３０Ｃは、ＮＢ２０Ｃ、セル＃１Ｃ及びセル＃２Ｃを管理する。
【００３４】
なお、図１では、１つのＲＮＣ３０が１つのＮＢ２０を管理するケースが例示されているが、実施形態は、これに限定されるものではない。すなわち、１つのＲＮＣ３０は、２以上のＮＢ２０を管理してもよい。
【００３５】
ＲＮＣ３０は、Ｉｎｔｅｒ−ＲＮＣハンドオーバについて、ハンドオーバ元セル（以下、ＨＯ元セル）及びハンドオーバ先セル（以下、ＨＯ先セル）を対応付けて管理する。同様に、ＲＮＣ３０は、ＨＯ元セルを管理するＮＢ２０（以下、ＨＯ元ＮＢ）及びＨＯ先セルを管理するＮＢ２０（以下、ＨＯ先ＮＢ）を対応付けて管理する。さらに、ＲＮＣ３０は、ＨＯ元セルを管理するＲＮＣ３０（以下、ＨＯ元ＲＮＣ）及びＨＯ先セルを管理するＲＮＣ３０（以下、ＨＯ先ＲＮＣ）を対応付けて管理する。また、ＲＮＣ３０は、ＨＯ元ＲＮＣの実アドレス及びＨＯ先ＲＮＣの実アドレスを対応付けて管理する。
【００３６】
これによって、ＨＯ元ＲＮＣの実アドレス及びＨＯ先ＲＮＣの実アドレスが対応付けられているため、Ｉｎｔｅｒ−ＲＮＣハンドオーバを行うことが可能である。
【００３７】
第１実施形態では、ＲＮＣ３０Ａ（第１無線制御装置）によって管理されるセル＃２Ａ（第１セル）とＲＮＣ３０Ｂ（第２無線制御装置）によって管理されるセル＃１Ｂ（第２セル）との間のＩｎｔｅｒ−ＲＮＣハンドオーバについて主として説明する。また、ＲＮＣ３０Ｂ（第２無線制御装置）の冗長構成として、ＲＮＣ３０Ｃ（第３無線制御装置）が機能するケースについて説明する。
【００３８】
第１実施形態では、ＲＮＣ３０Ｃは、ＲＮＣ３０Ｂの障害に備えて、ＲＮＣ３０Ｂの代替として動作するための仮想アドレスを管理する。詳細には、ＲＮＣ３０Ｃは、ＲＮＣ３０Ｃの仮想アドレスとＲＮＣ３０Ｂによって管理されるＮＢ２０Ｂ及びセル＃１Ｂとを対応付けて管理する。
【００３９】
（無線制御装置の構成）
以下において、第１実施形態に係る無線制御装置の構成について、図面を参照しながら説明する。図２は、第１実施形態に係るＲＮＣ３０を示す図である。図２に示すように、ＲＮＣ３０は、通信部３１と、管理部３２とを備える。
【００４０】
通信部３１は、他の装置と通信を行う。具体的には、通信部３１は、ＵＥ１０、ＮＢ２０、ＲＮＣ３０と通信を行う。なお、通信部３１は、他のＲＮＣ３０によって管理されるＮＢ２０と通信を行ってもよい。
【００４１】
ＵＥ１０とＲＮＣ３０との間の通信は、例えば、ＲＲＣ（Ｒａｄｉｏ  Ｒｅｓｏｕｒｃｅ  Ｃｏｎｔｒｏｌ）プロトコルに従って行われる。ＮＢ２０とＲＮＣ３０との間の通信は、例えば、ＮＢＡＰ（ＮｏｄｅＢ  Ａｐｐｌｉｃａｔｉｏｎ  Ｐａｒｔ）プロトコルに従って行われる。ＲＮＣ３０間の通信は、例えば、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）プロトコルに従って行われる。
【００４２】
管理部３２は、ＨＯ元セル、ＨＯ先セル、ＨＯ元ＮＢ、ＨＯ先ＮＢ、ＨＯ元ＲＮＣ及びＨＯ先ＲＮＣの対応関係を管理する。管理部３２は、ＨＯ元ＲＮＣの実アドレス及びＨＯ先ＲＮＣの実アドレスの対応関係を管理する。
【００４３】
例えば、図１に示す移動通信システム１００において、ＲＮＣ３０Ｂの冗長構成としてＲＮＣ３０Ｃが機能するケースについて例示する。すなわち、ＲＮＣ３０Ｂにおいて障害が発生した場合に、ＲＮＣ３０ＣがＲＮＣ３０Ｂの機能を引き継ぐケースについて例示する。
【００４４】
このようなケースでは、セル＃２Ａとセル＃１Ｂとの間のＩｎｔｅｒ−ＲＮＣハンドオーバにおいて、ＲＮＣ３０Ｂの代替として、ＲＮＣ３０Ｃが動作しなければならない。
【００４５】
例えば、ＲＮＣ３０は、図３及び図４に示すように、“ＨＯ元”、“ＨＯ先”及び“ＳＴＡＴＵＳ”を対応付けて管理する。なお、図３は、ＲＮＣ３０Ｃで管理される情報を例示しており、図４は、ＲＮＣ３０Ａで管理される情報を例示している。
【００４６】
“ＨＯ元”は、ＨＯ元セル、ＨＯ元ＮＢ、ＨＯ元ＲＮＣ及びＨＯ元ＲＮＣの実アドレス、ＨＯ元ＲＮＣの仮想アドレスなどを含む。
【００４７】
“ＨＯ先”は、ＨＯ先セル、ＨＯ先ＮＢ、ＨＯ先ＲＮＣ、ＨＯ先ＲＮＣの実アドレス、ＨＯ元ＲＮＣの仮想アドレスなどを含む。
【００４８】
“ＳＴＡＴＵＳ”は、対応関係（レコード）が有効状態であるか否かを示す値を含む。対応関係（レコード）が有効状態である場合には、“ＳＴＡＴＵＳ”として“ＡＣＴ（Ａｃｔｉｖａｔｅｄ）”が設定される。対応関係（レコード）が有効状態でない場合には、“ＳＴＡＴＵＳ”として“ＳＢＹ（Ｓｔａｎｄｂｙ）”が設定される。
【００４９】
第１に、ＲＮＣ３０Ｂにおける障害の発生に応じて、ＲＮＣ３０Ｂの機能を引き継ぐＲＮＣ３０Ｃで管理される情報について、図３を参照しながら説明する。
【００５０】
図３に示すように、ＲＮＣ３０Ｃは、レコードＮｏ．５のように、セル＃１ＢがＨＯ先セルである場合に、セル＃１Ｂを管理するＨＯ先ＲＮＣとしてＲＮＣ３０Ｃを対応付けて管理する。ここで、ＲＮＣ３０Ｃは、ＨＯ先ＲＮＣのアドレスとしてＲＮＣ３０Ｃの仮想アドレスを管理する。また、ＲＮＣ３０Ｂにおいて障害が発生した場合には、レコードＮｏ．５の“ＳＴＡＴＵＳ”が“ＡＣＴ”に変更される。
【００５１】
同様に、ＲＮＣ３０Ｃは、レコードＮｏ．６のように、セル＃１ＢがＨＯ元セルである場合に、セル＃１Ｂを管理するＨＯ元ＲＮＣとしてＲＮＣ３０Ｃを対応付けて管理する。ここで、ＲＮＣ３０Ｃは、ＨＯ元ＲＮＣのアドレスとしてＲＮＣ３０Ｃの仮想アドレスを管理する。また、ＲＮＣ３０Ｂにおいて障害が発生した場合には、レコードＮｏ．６の“ＳＴＡＴＵＳ”が“ＡＣＴ”に変更される。
【００５２】
第２に、ＲＮＣ３０Ｂにおける障害の発生に応じて、“ＨＯ元”及び“ＨＯ先”の対応関係を修正する必要があるＲＮＣ３０Ａで管理される情報について、図４を参照しながら説明する。
【００５３】
図４に示すように、ＲＮＣ３０Ａは、レコードＮｏ．５のように、セル＃１ＢがＨＯ先セルである場合に、セル＃１Ｂを管理するＨＯ先ＲＮＣとしてＲＮＣ３０Ｃを対応付けて管理する。ここで、ＲＮＣ３０Ａは、ＨＯ先ＲＮＣのアドレスとしてＲＮＣ３０Ｃの仮想アドレスを管理する。また、ＲＮＣ３０Ｂにおいて障害が発生した場合には、レコードＮｏ．５の“ＳＴＡＴＵＳ”が“ＡＣＴ”に変更される。
【００５４】
同様に、ＲＮＣ３０Ａは、レコードＮｏ．６のように、セル＃１ＢがＨＯ元セルである場合に、セル＃１Ｂを管理するＨＯ元ＲＮＣとしてＲＮＣ３０Ｃを対応付けて管理する。ここで、ＲＮＣ３０Ａは、ＨＯ元ＲＮＣのアドレスとしてＲＮＣ３０Ｃの仮想アドレスを管理する。また、ＲＮＣ３０Ｂにおいて障害が発生した場合には、レコードＮｏ．６の“ＳＴＡＴＵＳ”が“ＡＣＴ”に変更される。
【００５５】
ここで、ＲＮＣ３０Ａは、ＲＮＣ３０Ｂにおいて障害が発生した場合には、レコードＮｏ．３及びレコードＮｏ．４のように、ＲＮＣ３０ＢがＨＯ元ＲＮＣ又はＨＯ先ＲＮＣとして管理されるレコードの“ＳＴＡＴＵＳ”を“ＳＢＹ”に変更することに留意すべきである。
【００５６】
ここで、ＲＮＣ３０Ａ及びＲＮＣ３０Ｂは、接続可能な他のＲＮＣ３０に対して、仮想アドレスを問い合わせる。また、仮想アドレスの問い合わせは、定期的に行われることが好ましい。
【００５７】
ＲＮＣ３０Ｂの冗長構成としてＲＮＣ３０Ｃが機能することは、仮想アドレスの重複を防ぐために、ＲＮＣ３０Ｂによって決定されることが好ましい。すなわち、ＲＮＣ３０Ｃは、ＲＮＣ３０Ｂからの要求に応じて、ＲＮＣ３０Ｂの冗長構成として、ＲＮＣ３０Ｂによって管理されるセル＃２Ｂを管理することが好ましい。
【００５８】
或いは、ＲＮＣ３０Ｂの冗長構成としてＲＮＣ３０Ｃが機能することは、予め定められていてもよい。すなわち、ＲＮＣ３０Ｃは、ＲＮＣ３０Ｂからの要求によらずに、ＲＮＣ３０Ｂの冗長構成として、ＲＮＣ３０Ｂによって管理されるセル＃２Ｂを予め管理してもよい。
【００５９】
ＲＮＣ３０Ｃは、ＲＮＣ３０Ｂの冗長構成として動作する旨をＲＮＣ３０Ａに通知する。すなわち、ＲＮＣ３０Ｃは、ＲＮＣ３０Ｃの仮想アドレスをＲＮＣ３０Ａに通知する。なお、仮想アドレスの通知は、定期的に行われてもよい。或いは、仮想アドレスの通知は、ＲＮＣ３０Ａからの要求（仮想アドレスの問い合わせ）に応じて行われてもよい。
【００６０】
図３及び図４に示す例では、ＲＮＣ３０Ｂの冗長構成として動作するＲＮＣ３０Ｃは、ＲＮＣ３０Ｂによって決定される。ＲＮＣ３０Ｃは、ＲＮＣ３０Ａに対して、ＲＮＣ３０Ｃの仮想アドレスを通知する。
【００６１】
（移動通信システムの動作）
以下において、第１実施形態に係る移動通信システムの動作について、図面を参照しながら説明する。図５及び図６は、第１実施形態に係る移動通信システム１００の動作を示すシーケンス図である。なお、図５及び図６では、ＲＮＣ３０Ｂにおいて障害が発生した場合に、ＲＮＣ３０ＣがＲＮＣ３０Ｂの冗長構成として動作するケースについて説明する。従って、このようなケースに関係しない動作については省略されていることに留意すべきである。
【００６２】
第１に、Ｉｎｔｅｒ−ＲＮＣハンドオーバについて、図５を参照しながら説明する。
【００６３】
図５に示すように、ステップ１０Ａ〜ステップ１０Ｃにおいて、ＲＮＣ３０Ａ〜ＲＮＣ３０Ｃの電源が投入される。
【００６４】
ステップ２０Ａにおいて、ＲＮＣ３０Ａは、セル＃１Ａ及びセル＃２ＡがＨＯ元セル又はＨＯ先セルとして管理されている対応関係（レコード）の“ＳＴＡＴＵＳ”を“ＡＣＴ”に設定する。ＲＮＣ３０Ｂは、セル＃１Ｂ及びセル＃２ＢがＨＯ元セル又はＨＯ先セルとして管理されている対応関係（レコード）の“ＳＴＡＴＵＳ”を“ＡＣＴ”に設定する。
【００６５】
ステップ３０Ａにおいて、ＲＮＣ３０Ａは、ＲＮＣ３０Ａが接続可能なＲＮＣ３０（ここでは、ＲＮＣ３０Ｂ及びＲＮＣ３０Ｃ）に対して、仮想アドレスを問い合わせる。ステップ３０Ｂにおいて、ＲＮＣ３０Ｂは、ＲＮＣ３０Ｂが接続可能なＲＮＣ３０（ここでは、ＲＮＣ３０Ａ及びＲＮＣ３０Ｃ）に対して、仮想アドレスを問い合わせる。
【００６６】
なお、仮想アドレスの問い合わせは、ＲＮＣ３０Ｂの機能を冗長構成として動作するＲＮＣ３０を探すために行われることに留意すべきである。仮想アドレスの問い合わせは、定期的に行われることが好ましい。
【００６７】
ステップ４０において、ＲＮＣ３０Ｃは、ＲＮＣ３０Ｃの仮想アドレスをＲＮＣ３０Ｂに通知する。詳細には、セル＃１ＢがＨＯ元セル又はＨＯ先セルである場合に、ＲＮＣ３０Ｂの冗長構成として動作するために、ＲＮＣ３０Ｃは、ＲＮＣ３０Ｃの仮想アドレスをＲＮＣ３０Ｂに通知する。
【００６８】
ステップ５０において、ＲＮＣ３０Ｂは、ＲＮＣ３０Ｂの冗長構成として動作するＲＮＣ３０としてＲＮＣ３０Ｃを決定する。続いて、ＲＮＣ３０Ｂは、ＲＮＣ３０Ｂの冗長構成として動作することをＲＮＣ３０Ｃに要求する。
【００６９】
なお、ＲＮＣ３０Ｂの冗長構成としてＲＮＣ３０Ｃが動作する場合には、ＲＮＣ３０Ｃは、ＲＮＣ３０Ｂによって管理されるセル（セル＃１Ｂ）を仮想的に収容する。従って、実施形態では、ＲＮＣ３０Ｂの冗長構成として動作する要求は、仮想収容要求と称する。
【００７０】
ステップ６０において、ＲＮＣ３０Ｃは、ＲＮＣ３０Ｂの冗長構成として動作することを決定する。言い換えると、ＲＮＣ３０Ｃは、ＲＮＣ３０Ｂによって管理されるセル（ここでは、セル＃１Ｂ）を仮想的に収容する。
【００７１】
ステップ７０において、ＲＮＣ３０Ｃは、ＨＯ元ＲＮＣ又はＨＯ先ＲＮＣのアドレスがＲＮＣ３０Ｃの仮想アドレスである対応関係（レコード）を生成する。また、ＲＮＣ３０Ｃは、仮想的に収容されたセル＃１Ｂに関する対応関係（レコード）の“ＳＴＡＴＵＳ”を“ＳＢＹ”に設定する。
【００７２】
ステップ８０において、ＲＮＣ３０Ａは、ＲＮＣ３０Ａが接続可能なＲＮＣ３０（ここでは、ＲＮＣ３０Ｃ）に対して、仮想アドレスを問い合わせる。
【００７３】
ステップ９０において、ＲＮＣ３０Ｃは、ＲＮＣ３０Ｃの仮想アドレスをＲＮＣ３０Ａに通知する。詳細には、セル＃１ＢがＨＯ元セル又はＨＯ先セルである場合に、ＲＮＣ３０Ｂの冗長構成として動作するために、ＲＮＣ３０Ｃは、ＲＮＣ３０Ｃの仮想アドレスをＲＮＣ３０Ａに通知する。
【００７４】
ステップ１００において、ＲＮＣ３０Ａは、ＲＮＣ３０Ｂの冗長構成としてＲＮＣ３０Ｃを設定する。言い換えると、ＲＮＣ３０Ａは、ＲＮＣ３０Ｂによって管理されるセル（ここでは、セル＃１Ｂ）について、ＨＯ元ＲＮＣ又はＨＯ先ＲＮＣのアドレスとしてＲＮＣ３０Ｃの仮想アドレスを仮想的に設定する。
【００７５】
ステップ１１０において、ＲＮＣ３０Ｂにおいて障害が発生する。
【００７６】
ステップ１２０において、ＲＮＣ３０Ａ及びＲＮＣ３０Ｃは、ＲＮＣ３０Ｂの障害を検知する。
【００７７】
ステップ１３０において、ＲＮＣ３０Ｃは、ＨＯ元ＲＮＣ又はＨＯ先ＲＮＣのアドレスがＲＮＣ３０Ｃの仮想アドレスである対応関係（レコード）の“ＳＴＡＴＵＳ”を“ＡＣＴ”に設定する。
【００７８】
ステップ１４０において、ＲＮＣ３０Ｃは、ＲＮＣ３０Ｂによって管理されるＮＢ２０Ｂに対して、ＮＢ２０Ｂを管理するＲＮＣ３０がＲＮＣ３０ＢからＲＮＣ３０Ｃに変更された旨を通知する。
【００７９】
ステップ１５０において、ＲＮＣ３０Ａは、ハンドオーバを検出する。詳細には、ＲＮＣ３０Ａは、セル＃２Ａからセル＃１ＢへのＩｎｔｅｒ−ＲＮＣハンドオーバを検出する。
【００８０】
ステップ１６０において、ＲＮＣ３０Ａは、ＲＮＳＡＰプロトコルに従って、Ｉｎｔｅｒ−ＲＮＣハンドオーバに必要な情報をＲＮＣ３０Ｃに送信する。
【００８１】
第２に、呼接続について、図６を参照しながら説明する。なお、図６では、図５と同様の動作については、同様の符号を付している。また、図５と同様の動作の説明については省略する。
【００８２】
図６に示すように、ステップ２２において、ＮＢ２０ＢとＲＮＣ３０Ｂとの間で局間リンクが確立される。なお、ステップ２２の処理は、ＲＮＣ３０Ｂの起動後に行われる。
【００８３】
ステップ９２において、ＮＢ２０ＢとＲＮＣ３０Ｃとの間で局間リンクが確立される。なお、ステップ２２の処理は、ＲＮＣ３０Ｂによって管理されるセル（ここでは、セル＃１Ｂやセル＃２Ｂ）がＲＮＣ３０Ｃに仮想的に収容された後に行われる。
【００８４】
ステップ９４において、ＮＢ２０Ｂは、ＲＮＣ３０Ｂの冗長構成としてＲＮＣ３０Ｃを設定する。言い換えると、ＮＢ２０Ｂは、ＮＢ２０Ｂが接続すべきＲＮＣ３０のアドレスとしてＲＮＣ３０Ｃの仮想アドレスを仮想的に設定する。
【００８５】
ステップ１７０において、ＮＢ２０Ｂは、ＵＥ１０から呼接続要求を受ける。詳細には、ＮＢ２０Ｂは、セル＃１Ｂ又はセル＃２Ｂに在圏するＵＥ１０から呼接続要求を受ける。
【００８６】
ステップ１８０において、ＮＢ２０Ｂは、ＮＢＡＰプロトコルに従って、呼接続に必要な情報をＲＮＣ３０Ｃに送信する。
【００８７】
（作用及び効果）
第１実施形態では、ＲＮＣ３０Ｃは、ＲＮＣ３０Ｂの冗長構成としてセル＃１Ｂを管理する旨をＲＮＣ３０Ａに通知する。従って、Ｉｎｔｅｒ−ＲＮＣハンドオーバにおいて、ＲＮＣ３０（ここでは、ＲＮＣ３０Ｂ）において障害が発生した場合であっても、膨大な作業量を必要とせずに、迂回経路を設定することができる。
【００８８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８９】
なお、上述したＲＮＣ３０の動作は、ハードウェアによって実施されてもよいし、プロセッサによって実行されるソフトウェアモジュールによって実施されてもよいし、両者の組み合わせによって実施されてもよい。
【００９０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＲＮＣ３０内に設けられていてもよい。また、かかる記憶媒体及びプロセッサは、ディスクリートコンポーネントとしてＲＮＣ３０内に設けられていてもよい。
【符号の説明】
【００９２】
１０…移動局、２０…無線基地局、３０…無線制御装置、３１…通信部、３２…管理部、５０…コアネットワーク、１００…移動通信システム
【図１】
0005295288.tif 000002
【図２】
0005295288.tif 000003
【図３】
0005295288.tif 000004
【図４】
0005295288.tif 000005
【図５】
0005295288.tif 000006
【図６】
0005295288.tif 000007